(57)【特許請求の範囲】
【請求項１】
２ポートの連結可能型電磁式直動弁の一ユニットは、上部に固定鉄心案内溝を有し下部に弁本体外径係止爪部を有する略コ字状のソレノイドヨークと、弁座を有する弁本体と、気密パッキン類を外周部に装着し外面切込部を有する固定鉄心と、圧縮コイルスプリングと、一端又は他端に該弁本体の弁座を閉塞する着座シートを設けた可動鉄心と、からなり、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴し、
３ポートの連結可能型電磁式直動弁の一ユニットは、上部に固定鉄心案内溝を有し下部に弁本体外径係止爪部を有する略コ字状のソレノイドヨークと、弁座を有する弁本体と、気密パッキン類を外周部に装着し外面切込部と流体の出入が可能な吸排口と弁座とを有する固定鉄心と、圧縮コイルスプリングと、一端に該弁本体の弁座を閉塞する着座シートと他端に該固定鉄心の弁座を閉塞する弁体とを設けた可動鉄心と、からなり、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴し、
或いは、上部に固定鉄心案内溝を有し下部に弁本体外径係止爪部を有する略コ字状のソレノイドヨークと、弁座を有する弁本体と、気密パッキン類を外周部に装着し外面切込部と流体の出入が可能な吸排口と端面開口部とを有する固定鉄心と、圧縮コイルスプリングと、一端に該弁本体の弁座を閉塞する着座シートを設け他端が略球面の可動鉄心と、座金状軟質部材と、からなり、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該座金状軟質部材と該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴し、
弁本体の上部フランジには端子片支持部を設け、該端子片支持部には端子片を設け、略コ字状のソレノイドヨーク上部に設けられた固定鉄心案内溝から、端子片支持部或いは端子片が突出している２ポート或いは３ポートの連結可能型電磁式直動弁ユニットにおいて、
二つの端子片の間隔を２．５ｍｍにして、印刷配線基板用マイクロコネクタが嵌合できることを特徴とする連結可能型電磁式直動弁ユニット。
【請求項２】
請求項１記載の２ポート或いは３ポートの連結可能型電磁式直動弁の一ユニットにおいて、各ユニットの弁本体の上部フランジの一方の平面部に係止凸部又は係止凹部を設け、該上部フランジの他方の端子片支持部に係止凹部又は係止凸部を設け、一ユニットの弁本体の上部フランジの一方の平面部に設けられた係止凸部又は係止凹部が、他ユニットの弁本体の上部フランジの他方の端子片支持部に設けられた係止凹部又は係止凸部と嵌合し、一ユニットと他ユニットとの捻り戻りを防止できることを特徴とする連結可能型電磁式直動弁ユニット。
【請求項３】
請求項１記載の２ポート或いは３ポートの連結可能型電磁式直動弁の一ユニットにおいて、各ユニットの弁本体の上部フランジの端子片支持部に係止凹部又は係止凸部を設け、各ユニットの一方に固定鉄心案内溝を有し他方に平面部を有するソレノイドヨークの該平面部に係止凹部又は係止凸部を設け、一ユニットの弁本体の上部フランジの端子片支持部に設けられた係止凸部又は係止凹部が、他ユニットのソレノイドヨークの平面部に設けられた係止凹部又は係止凸部と嵌合し、一ユニットと他ユニットとの捻り戻りを防止できることを特徴とする連結可能型電磁式直動弁ユニット。
【請求項４】
請求項１記載の２ポート或いは３ポートの連結可能型電磁式直動弁の一ユニットにおいて、各ユニットの弁本体の上部フランジ或いは下部フランジの一方に係止凸部を設け他方に係止凹部を設け、一ユニットの弁本体の上部フランジ或いは下部フランジに設けられた係止凸部又は係止凹部が、他ユニットの弁本体の上部フランジ或いは下部フランジに設けられた係止係止凹部又は係止係止凸部と嵌合し、一ユニットと他ユニットとの捻り戻りを防止できることを特徴とする連結可能型電磁式直動弁ユニット。
【請求項５】
請求項１記載の２ポート或いは３ポートの連結可能型電磁式直動弁の一ユニットにおいて、各ユニットの弁本体に係止鍔部を設け、該係止鍔部の一方に係止係止凸部を設け他方に係止凹部を設け、一ユニットの弁本体の係止鍔部に設けられた係止凸部又は係止凹部が、他ユニットの弁本体の係止鍔部に設けられた係止凹部又は係止凸部と嵌合し、一ユニットと他ユニットとの捻り戻りを防止できることを特徴とする連結可能型電磁式直動弁ユニット。
【請求項６】
請求項１記載の２ポート或いは３ポートの連結可能型電磁式直動弁の一ユニットにおいて、各ユニットのソレノイドヨークの一方に係止凸部を設け他方に係止凹部を設け、一ユニットのソレノイドヨークに設けられた係止凸部又は係止凹部が、他ユニットのソレノイドヨークに設けられた係止凹部又は係止凸部と嵌合し、一ユニットと他ユニットとの捻り戻りを防止できることを特徴とする連結可能型電磁式直動弁ユニット。
【発明の詳細な説明】
【０００１】
【発明の属する技術分野】
本発明は、空気等の流体の流路に設置する単体式、２連式又は多連式の電磁式直動弁装置に係るものであり、詳しくは、可動鉄心の一端に設けられた着座シートで、弁本体に設けられた弁座の開閉を行う２ポートの連結可能型電磁式直動弁ユニット、或いは可動鉄心の一端に設けられた着座シートで、弁本体に設けられた弁座の開閉を行い、可動鉄心の他端に設けられた弁体で、固定鉄心に設けられた弁座の開閉を行う３ポートの連結可能型電磁式直動弁ユニット、或いは可動鉄心の一端に設けられた着座シートで、弁本体に設けられた弁座の開閉を行い、座金状軟質部材を可動鉄心の略球面状の他端面で、固定鉄心の端面開口部に押圧することにより開閉を行う３ポートの連結可能型電磁式直動弁ユニットと、そのユニットのいずれかを任意に組み合わせた電磁式直動弁装置に関する。
【０００２】
【従来の技術】
従来、例えば、図１（図１、図２、図３及び図４参照。）に示すように、複数の弁座１１と複数の分岐口１２と該弁座１１に連通する本管１３と本管出入口１４とを有するマルチポート弁本体（例えば、ポリプロピレン樹脂、真鍮、アルミダイカスト）１５に、複数のソレノイド部一ユニット２０をねじ等で取り付けた多連式の電磁式直動弁装置１０がある。
ソレノイド部一ユニット２０は、固定鉄心案内溝１６を有する略コ字状のソレノイドヨークＡ１７（例えば、ステンレス鋼板）と、略中央部に貫通孔を有する平板状のソレノイドヨークＢ１８（例えば、ステンレス鋼板）と、例えば、マグネット・ワイヤ等と呼ばれる銅線（例えば、エナメル絶縁電線、ポリウレタン絶縁電線、ポリイミド絶縁電線）２１を巻装（電磁コイル３５となる。ソレノイドともいう。）する巻枠（例えば、ナイロン樹脂）２２と、気密パッキン類（例えば、Ｏリング）２３を外周部（外径パッキン溝）に装着し外面切込部２４と流体の出入が可能な吸排口（パイプ状でも単なる孔でも良い。）２５と弁座２６とを有する固定鉄心２７（例えば、ステンレス鋼棒）と、圧縮コイルスプリング（例えば、ステンレス鋼線）２８と、一端に該マルチポート弁本体１５の一つの弁座１１を閉塞する軟質弾性部材（例えば、シリコンゴム）の着座シート２９と他端に該固定鉄心２７の弁座２６を閉塞する軟質弾性部材（例えば、シリコンゴム）の弁体３０とを設けた磁性部材（例えば、ステンレス鋼棒）の可動鉄心（別名吸着鉄心、アーマチュア、プランジャ、ラム）３１と、からなり、該巻枠２２内周部には該可動鉄心３１と該圧縮コイルスプリング２８と該固定鉄心２７とを挿入し、該ソレノイドヨークＡ１７の固定鉄心案内溝１６を該固定鉄心２７の外面切込部２４に外嵌し、該ソレノイドヨークＡ１７と該ソレノイドヨークＢ１８とを嵌合（例えば、圧入、かしめ、溶接、溶着）して組み立てられる。
【０００３】
【発明が解決しようとする課題】
しかしながら、前記のような多連式の電磁式直動弁装置１０においては、ソレノイド部一ユニット２０は共通でも、複数のソレノイド部一ユニット２０を取り付けるマルチポート弁本体１５は、専用部品となり汎用性が無かった。
又、例えば、特開平１１−２４８０２２号公報等で開示されているように、容易に分解できるリサイクル対応型の単体式の２ポートの電磁式直動弁装置（常開型、常閉型）は知られているが、前記のような多連式の電磁式直動弁装置においては知られていなかった。
【０００４】
本発明は、従来の技術の有するこのような問題点を鑑みてなされたものであり、その目的とするところは、組立性及び信頼性の向上と共に、リサイクル対策として、全ての部品が容易に着脱できる連結可能型電磁式直動弁ユニットと、そのユニットのいずれかを任意に組み合わせた電磁式直動弁装置を提供しようとするものである。
【０００５】
【課題を解決するための手段】
上記目的を達成するために、本発明の連結可能型電磁式直動弁ユニット（独立作動が可能な組立品または装置）は、次の特徴を有する。
上部に固定鉄心案内溝を有し下部に弁本体外径係止爪部を有する略コ字状のソレノイドヨークと、弁座を有する弁本体と、気密パッキン類を外周部（外径パッキン溝）に装着し外面切込部を有する固定鉄心と、圧縮コイルスプリングと、一端又は他端に該弁本体の弁座を閉塞する着座シートを設けた可動鉄心と、からなる２ポートの連結可能型電磁式直動弁ユニットの一ユニットにおいて、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴とする。
【０００６】
又は、上部に固定鉄心案内溝を有し下部に弁本体外径係止爪部を有する略コ字状のソレノイドヨークと、弁座を有する弁本体と、気密パッキン類を外周部に装着し外面切込部と流体の出入が可能な吸排口と弁座とを有する固定鉄心と、圧縮コイルスプリングと、一端に該弁本体の弁座を閉塞する着座シートと他端に該固定鉄心の弁座を閉塞する弁体とを設けた可動鉄心と、からなるの３ポートの連結可能型電磁式直動弁ユニットの一ユニットにおいて、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴とする。
【０００７】
又は、上部に固定鉄心案内溝を有し下部に弁本体外径係止爪部を有する略コ字状のソレノイドヨークと、弁座を有する弁本体と、気密パッキン類を外周部に装着し外面切込部と流体の出入が可能な吸排口と端面開口部とを有する固定鉄心と、圧縮コイルスプリングと、一端に該弁本体の弁座を閉塞する着座シートを設け他端が略球面の可動鉄心と、座金状軟質部材と、からなる３ポートの連結可能型電磁式直動弁ユニットの一ユニットにおいて、該弁本体には、他ユニットの弁本体の本管掛止凹形口に掛止でき掛止爪或いは掛止誘導溝を有する本管掛止凸形口と、他ユニットの弁本体の本管掛止凸形口に掛止でき掛止爪或いは掛止誘導溝を有する本管掛止凹形口と、流体の出入が可能な分岐口と、上部フランジと、電磁コイルを巻装する巻枠部と、下部フランジと、該ソレノイドヨークが外嵌されるヨーク外径係止部と、を設け、該弁本体の巻枠部内周部には該可動鉄心と該圧縮コイルスプリングと該座金状軟質部材と該固定鉄心とを挿入し、該ソレノイドヨークの固定鉄心案内溝を該固定鉄心の外面切込部に外嵌すると共に、該ソレノイドヨークの弁本体外径係止爪部を該弁本体のヨーク外径係止部に外嵌すると、該固定鉄心と該ソレノイドヨークとが固定されることを特徴とする。
【０００８】
細部においては、前記３種類の連結可能型電磁式直動弁ユニットにおいて、弁本体の上部フランジには端子片支持部を設け、該端子片支持部には二つの端子片を設け（例えば、圧入、インサート成形）、略コ字状のソレノイドヨーク上部に設けられた固定鉄心案内溝から、端子片支持部と端子片が突出していることを特徴とする。
端子片については、二つの端子片の間隔（ピッチ）を２．５ｍｍ（正しくは０．１インチ、２．５４ｍｍ）にして、印刷配線基板用マイクロコネクタが嵌合できることを特徴とする。
【０００９】
そして、各ユニットの弁本体の上部フランジの一方の平面部に係止凸部又は係止凹部を設け他方の端子片支持部に係止凹部又は係止凸部を設け、一ユニットの弁本体の上部フランジの一方の平面部に設けられた係止凸部又は係止凹部が、他ユニットの弁本体の上部フランジの他方の端子片支持部に設けられた係止凹部又は係止凸部と嵌合し、一ユニットと他ユニットとの捻り戻り（掛止が外れる方向への回転移動をいう。以下、同じ。）を防止できることを特徴とする。
【００１０】
或いは、各ユニットの弁本体の上部フランジの端子片支持部に係止凹部又は係止凸部を設け、各ユニットの一方に固定鉄心案内溝を有し他方に平面部を有するソレノイドヨークの該平面部に係止凹部又は係止凸部を設け、一ユニットの弁本体の上部フランジの端子片支持部に設けられた係止凸部又は係止凹部が、他ユニットのソレノイドヨークの平面部に設けられた係止凹部又は係止凸部と嵌合し、一ユニットと他ユニットとの捻り戻りを防止できることを特徴とする。
【００１１】
又は、前記３種類の連結可能型電磁式直動弁ユニットにおいて、各ユニットの弁本体の上部フランジ或いは下部フランジの一方に係止凸部を設け他方に係止凹部を設け、一ユニットの弁本体の上部フランジ或いは下部フランジに設けられた係止凸部又は係止凹部が、他ユニットの弁本体の上部フランジ或いは下部フランジに設けられた係止凹部又は係止凸部と嵌合し、一ユニットと他ユニットとの捻り戻りを防止できることを特徴とする。
【００１２】
又は、前記３種類の連結可能型電磁式直動弁ユニットにおいて、各ユニットの弁本体に係止鍔部を設け、該係止鍔部の一方に係止凸部を設け他方に係止係止凹部を設け、一ユニットの弁本体の係止鍔部に設けられた係止凸部又は係止凹部が、他ユニットの弁本体の係止鍔部に設けられた係止凹部又は係止凸部と嵌合し、一ユニットと他ユニットとの捻り戻りを防止できることを特徴とする。
【００１３】
又は、前記３種類の連結可能型電磁式直動弁ユニットにおいて、各ユニットの弁本体の本管掛止凹形口に係止凸部又は係止凹部を設け、該弁本体の本管掛止凸形口に係止凹部又は係止凸部を設け、一ユニットの弁本体の本管掛止凹形口に設けられた係止凸部又は係止凹部が、他ユニットの弁本体の本管掛止凸形口に設けられた係止凹部又は係止凸部と嵌合し、一ユニットと他ユニットとの捻り戻りを防止できることを特徴とする。
【００１４】
又は、前記３種類の連結可能型電磁式直動弁ユニットにおいて、各ユニットのソレノイドヨークの一方に係止凸部を設け他方に係止凹部を設け、一ユニットのソレノイドヨークに設けられた係止凸部又は係止凹部が、他ユニットのソレノイドヨークに設けられた係止凹部又は係止凸部と嵌合し、一ユニットと他ユニットとの捻り戻りを防止できることを特徴とする。
【００１５】
又は、前記３種類の連結可能型電磁式直動弁ユニットにおいて、掛止爪及び／又は掛止誘導溝と本管出入口とを有する流体導入体と、掛止爪及び／又は掛止誘導溝を有する蓋体と、に係止凸部或いは係止凹部を設けて、各ユニットの弁本体の本管掛止凸形口或いは本管掛止凹形口に設けられた係止凹部或いは係止凸部と嵌合することにより、該流体導入体或いは該蓋体の捻り戻りを防止できることを特徴とする。
【００１６】
又、単体式の本発明の電磁式直動弁装置は、次の特徴を有する。
前記３種類のいずれかの連結可能型電磁式直動弁ユニットにおいて、弁本体の本管掛止凹形口に掛止でき掛止爪或いは掛止誘導溝と本管出入口とを有する流体導入体を、該弁本体の本管掛止凹形口に嵌合してから捻って掛止して連結し、該弁本体の本管掛止凸形口に掛止でき掛止爪或いは掛止誘導溝を有する蓋体、或いは弁本体の本管掛止凸形口に掛止でき掛止爪或いは掛止誘導溝と本管出入口とを有する流体導入体を、該弁本体の本管掛止凸形口に嵌合してから捻って掛止して連結したことを特徴とする。
【００１７】
或いは、前記３種類のいずれかの連結可能型電磁式直動弁ユニットにおいて、弁本体の本管掛止凹形口に掛止でき掛止爪或いは掛止誘導溝を有する蓋体、或いは弁本体の本管掛止凹形口に掛止でき掛止爪或いは掛止誘導溝と本管出入口とを有する流体導入体を、該弁本体の本管掛止凹形口に嵌合してから捻って掛止して連結し、該弁本体の本管掛止凸形口に掛止でき掛止爪或いは掛止誘導溝と本管出入口とを有する流体導入体を、該弁本体の本管掛止凸形口に嵌合してから捻って掛止して連結したことを特徴とする。
【００１８】
又、２連式の本発明の電磁式直動弁装置は、次の特徴を有する。
弁本体の本管掛止凹形口に掛止でき掛止爪或いは掛止誘導溝と本管出入口とを有する流体導入体を、一つの前記３種類のいずれかの連結可能型電磁式直動弁ユニット（以下、一ユニットと呼ぶ。）の弁本体の本管掛止凹形口に嵌合してから捻って掛止して連結し、一ユニットの弁本体の本管掛止凸形口を、他の前記３種類のいずれかの連結可能型電磁式直動弁ユニット（以下、他ユニットと呼ぶ。）の弁本体の本管掛止凹形口に嵌合してから嵌合してから捻って掛止して連結し、弁本体の本管掛止凸形口に掛止でき掛止爪或いは掛止誘導溝を有する蓋体、或いは弁本体の本管掛止凸形口に掛止でき掛止爪或いは掛止誘導溝と本管出入口とを有する流体導入体を、他ユニットの弁本体の本管掛止凸形口に嵌合してから捻って掛止して連結したことを特徴とする。
【００１９】
或いは、弁本体の本管掛止凹形口に掛止でき掛止爪或いは掛止誘導溝を有する蓋体、或いは弁本体の本管掛止凹形口に掛止でき掛止爪或いは掛止誘導溝と本管出入口とを有する流体導入体を、一ユニットの弁本体の本管掛止凹形口に嵌合してから捻って掛止して連結し、一ユニットの弁本体の本管掛止凸形口を、他ユニットの弁本体の本管掛止凹形口に嵌合してから捻って掛止して連結し、弁本体の本管掛止凸形口に掛止でき掛止爪或いは掛止誘導溝と本管出入口とを有する流体導入体を、他ユニットの弁本体の本管掛止凸形口に嵌合してから捻って掛止して連結したことを特徴とする。
【００２０】
又、多連式の本発明の電磁式直動弁装置は、次の特徴を有する。
弁本体の本管掛止凹形口に掛止でき掛止爪或いは掛止誘導溝と本管出入口とを有する流体導入体を、一番はじにくる一片側の前記３種類のいずれかの連結可能型電磁式直動弁ユニット（以下、最一端ユニットと呼ぶ。）の弁本体の本管掛止凹形口に嵌合してから捻って掛止して連結し、最一端ユニットの弁本体の本管掛止凸形口を、次ユニットの弁本体の本管掛止凹形口に嵌合してから捻って掛止して連結し、同様の手順にて複数のユニットを掛止して連結し、弁本体の本管掛止凸形口に掛止でき掛止爪或いは掛止誘導溝を有する蓋体、或いは弁本体の本管掛止凸形口に掛止でき掛止爪或いは掛止誘導溝と本管出入口とを有する流体導入体を、一番はじにくる他片側の前記３種類のいずれかの連結可能型電磁式直動弁ユニット（以下、最他端ユニットと呼ぶ。）の弁本体の本管掛止凸形口に嵌合してから捻って掛止して連結したことを特徴とする。
【００２１】
或いは、弁本体の本管掛止凹形口に掛止でき掛止爪或いは掛止誘導溝を有する蓋体、或いは弁本体の本管掛止凹形口に掛止でき掛止爪或いは掛止誘導溝と本管出入口とを有する流体導入体を、最一端ユニットの弁本体の本管掛止凹形口に嵌合してから捻って掛止して連結し、最一端ユニットの弁本体の本管掛止凸形口の掛止爪を、次ユニットの弁本体の本管掛止凹形口に嵌合してから捻って掛止して連結し、同様に複数のユニットを掛止して連結し、弁本体の本管掛止凸形口の掛止爪に掛止でき掛止誘導溝と本管出入口とを有する流体導入体を、最他端ユニットの弁本体の本管掛止凸形口に嵌合してから捻って掛止して連結したことを特徴とする。
【００２２】
【発明の実施の形態】
発明の実施の形態について図面を参照して説明する。
先ず、本発明の連結可能型電磁式直動弁ユニット等の個別の構成部品等を説明する。
図５は本発明の一実施例の弁本体４０の右側面斜視図である。図６は該弁本体４０の左側面斜視図である。
弁本体（例えば、ＰＯＭ樹脂）４０は、上部フランジ４１と、該上部フランジ４１に設けられた端子片支持部４２（印刷配線基板用マイクロコネクタのハウジング形状としても良い。）と、該端子片支持部４２に設けられた２つの端子片（例えば、真鍮）４３（巻枠部４４に巻装される銅線２１の端末処理に用いられる。例えば、ラッピング、半田付け、ヒュージング、スポット溶接、レーザ溶接による接続がある。印刷配線基板用マイクロコネクタのコンタクトピン形状としても良い。）と、例えば、銅線２１を巻装（電磁コイル３９となる。電磁コイル３９とソレノイドヨーク６０とで可動鉄心６３等を吸引するソレノイドを構成する。）する中空円柱状の巻枠部４４と、下部フランジ４６と、ソレノイドヨーク６０が外嵌されるヨーク外径係止部４７と、一方に係止凸部４８を有し他方（一方の反対側）に係止凹部４９を有する係止鍔部５０と、２つの掛止爪５１を有し気密パッキン類２３を外周部に装着できる本管掛止凸形口５２と、該本管掛止凸形口５２の反対側に設けられた２つの掛止誘導溝５３を有する本管掛止凹形口５４と、流体の出入が可能な分岐口（突出方向は下部フランジの下方１８０度の範囲内で任意に設けることができる。又、突出方向の異なる複数の分岐口を設けても良い。）５５と、該本管掛止凸形口５２と該本管掛止凹形口５４とに連通する本管（連通孔）５６と、該本管５６に連通する弁座５７と、からなる。
該端子片４３については、２つの端子片４３の間隔を２．５４ｍｍにして、汎用性の高い印刷配線基板用（ボードインタイプ）マイクロコネクタ９９が嵌合できるようにした。印刷配線基板用マイクロコネクタには、１．５ｍｍ、２．０ｍｍ、２．５４ｍｍ、３．９６ｍｍ、５．０ｍｍ等と各種あるので、電磁コイルに印加する電圧・電流、２つの端子片４３等の法定空間距離（沿面距離を含む。例えば、電気用品取締法関係、電気用品の技術上の基準を定める省令の別表第八附表第二等による。）、配線線材被覆径及び／又はコスト（材料費、加工費）等により、選択すると良い。
複数の弁本体４０同士を嵌合してから捻って掛止して連結した場合、複数の該本管５６同士が連通して、１本の本管（共通管）となる。これは、従来の多連式の電磁式直動弁装置１０の本管１３と同じ機能である。
【００２３】
本発明の一実施例の本管掛止係止凸部５２には、２つの掛止爪５１を設けたが、２つの掛止誘導溝５３でも、１つの掛止爪５１に１つの掛止誘導溝５３でも、又２つに限定されるものでなく、１つでも２つ以上でも良い。同様に、本発明の一実施例の本管掛止凹形口５４には、２つの掛止誘導溝５３を設けたが、２つの掛止爪５１でも、１つの掛止爪５１に１つの掛止誘導溝５３でも、又２つに限定されるものでなく、１つでも２つ以上でも良い。
【００２４】
該係止鍔部５０に設けられた一方の係止凸部４８又は他方の係止凹部４９（又は他方の係止凸部４８又は一方の係止凹部４９）は、他の弁本体４０の係止鍔部５０に設けられた他方の係止凹部４９又は一方の係止凸部４８（又は一方の係止凹部４９又は他方の係止凸部４８）と嵌合すると、捻り戻りを防止する効果がある。
本発明の一実施例の該係止鍔部５０に設けられた一方又は他方の係止凸部４８（又は係止凹部４９）は、１つに限定されるものでなく、複数の係止凸部４８（又は係止凹部４９）でも、係止凸部４８と係止凹部４９とを混在して設けても良い。
【００２５】
又、不図示ではあるが、弁本体４０の本管掛止凹形口５４に係止凸部又は係止凹部を設け、該弁本体４０の本管掛止凸形口５２に係止凹部又は係止凸部を設け、一ユニットの弁本体４０の本管掛止凹形口５４に設けられた係止凸部又は係止凹部が、他ユニットの弁本体４０の本管掛止凸形口５２に設けられた係止凹部又は係止凸部と嵌合しても良い。
係止凸部（又は係止凹部）は１つに限定されるものでなく、複数の係止凸部（又は係止凹部）でも、係止凸部と係止凹部とを混在して設けても良い。
【００２６】
又、不図示ではあるが、弁本体４０の上部フランジ４１の一方の平面部に係止凸部又は係止係止凹部を設け、該上部フランジ４１の他方の端子片支持部４２に係止凹部又は係止凸部を設け、一ユニットの弁本体４０の上部フランジ４１の一方の平面部に設けられた係止凸部又は係止凹部が、他ユニットの弁本体４０の上部フランジ４１の他方の端子片支持部４２に設けられた係止凹部又は係止凸部と嵌合しても良い。
係止凸部（又は係止凹部）は１つに限定されるものでなく、複数の係止凸部（又は係止凹部）でも、係止凸部と係止凹部とを混在して設けても良い。
【００２７】
又、不図示ではあるが、弁本体４０の上部フランジ４１の端子片支持部４２に係止凹部又は係止凸部を設け、一方に固定鉄心案内溝６１を有し他方に平面部５８を有するソレノイドヨーク６０の該平面部５８に係止凹部又は係止凸部を設け、一ユニットの弁本体４０の上部フランジ４１の端子片支持部４２に設けられた係止凸部又は係止凹部が、他ユニットのソレノイドヨーク６０の平面部５８に設けられた係止凹部又は係止凸部と嵌合しても良い。
係止凸部（又は係止凹部）は１つに限定されるものでなく、複数の係止凸部（又は係止凹部）でも、係止凸部と係止凹部とを混在して設けても良い。
【００２８】
又、不図示ではあるが、弁本体４０の下部フランジ４６の一方に係止凸部を設け、該下部フランジ４６の他方に係止凹部を設け、一ユニットの弁本体の下部フランジ４６に設けられた係止凸部又は係止凹部が、他ユニットの弁本体の下部フランジ４６に設けられた係止凹部又は係止凸部と嵌合しても良い。
係止凸部（又は係止凹部）は１つに限定されるものでなく、複数の係止凸部（又は係止凹部）でも、係止凸部と係止凹部とを混在して設けても良い。
【００２９】
又、不図示ではあるが、銅線２１の端末処理として、リード線３２を取り付ける場合など、該上部フランジ４１の他方に端子片支持部４２を設けない弁本体においては、該上部フランジ４１の一方に係止凸部を設け他方に係止凹部を設け、一ユニットの弁本体の上部フランジ４１に設けられた係止凸部又は係止凹部が、他ユニットの弁本体の上部フランジ４１に設けられた係止凹部又は係止凸部と嵌合しても良い。
係止凸部（又は係止凹部）は１つに限定されるものでなく、複数の係止凸部（又は係止凹部）でも、係止凸部と係止凹部とを混在して設けても良い。
【００３０】
弁本体４０の巻枠部４４内周部４５には、例えば、ステンレス鋼棒からなる可動鉄心（６３、６４又は６５）と、例えば、ステンレス鋼線からなる圧縮コイルスプリング６７と、例えば、ステンレス鋼棒からなる固定鉄心（７０、７２又は７６）と、が挿入される。
【００３１】
図７は本発明の一実施例のソレノイドヨーク６０の右側面斜視図である。
略コ字状のソレノイドヨーク６０（ソレノイドの継鉄部で、電磁コイル３９からの磁界の磁路を形づくるものである。）は、上部に略Ｕ字形（略Ｃ字形、略コ字形でも良い。）の固定鉄心案内溝６１を設け、下部に複数（２つでも４つでも６つでも良い。）の弁本体外径係止爪部６２を設けた。
該固定鉄心案内溝６１は、固定鉄心（７０、７２又は７６）の外面切込部（７１、７３又は７７）に外嵌される。該弁本体外径係止爪部６２は、容易に抜けないような波形形状（凸凹形状でも良い。）等になっていて、該弁本体４０のヨーク外径係止部４７に外嵌される。
該固定鉄心案内溝６１からは、弁本体４０上部に設けられた該端子片支持部４２及び該端子片４３等が突出するので、溝内の無駄な空間が有効利用できるものである。
【００３２】
又、不図示ではあるが、該ソレノイドヨーク６０の一方に係止凸部を設け、該ソレノイドヨーク６０の他方に係止凹部を設け、一ユニットのソレノイドヨーク６０に設けられた係止凸部又は係止凹部が、他ユニットのソレノイドヨーク６０に設けられた係止凹部又は係止凸部と嵌合すると、一ユニットと他ユニットとの捻り戻りを防止する効果がある。
係止凸部（又は係止凹部）は１つに限定されるものでなく、複数の係止凸部（又は係止凹部）でも、係止凸部と係止凹部とを混在して設けても良い。
【００３３】
可動鉄心（６３、６４又は６５）及び固定鉄心（７０、７２又は７６）は、２ポートの連結可能型電磁式直動弁ユニットにするか、３ポートの連結可能型電磁式直動弁ユニットにするか、によって、形状や構成等が異なるので、次にその実施例ごとの説明をする。
【００３４】
図８は本発明の第１実施例の２ポートの連結可能型電磁式直動弁ユニット８０の右側面断面図である。
本発明の第１実施例の２ポートの連結可能型電磁式直動弁ユニット８０を説明する。
２ポートの連結可能型電磁式直動弁ユニット８０は、該弁本体４０の巻枠部４４内周部４５に、一端又は他端に該弁本体４０の弁座５７を閉塞する着座シート６８を設けた可動鉄心６３と、圧縮コイルスプリング６７と、気密パッキン類２３を外周部（外径パッキン溝）に装着し外面切込部７１を有する２ポート用固定鉄心７０と、が挿入され、該ソレノイドヨーク６０の固定鉄心案内溝６１を該固定鉄心７０の外面切込部７１に外嵌すると共に、該ソレノイドヨーク６０の弁本体外径係止爪部６２を該弁本体４０のヨーク外径係止部４７に外嵌すると、該固定鉄心７０と該ソレノイドヨーク６０が固定されることにより完成される。
ここで、２ポートとは、該弁本体４０の分岐口５５と、該弁本体４０の本管５６に連通する該本管掛止凸形口５２（又は該本管掛止凹形口５４）と、を言っているものである。
尚、該分岐口５５と該本管掛止凸形口５２とは、いずれかをインポート又はアウトポートに設定して使用すれば良い。
【００３５】
図９は本発明の第２実施例の３ポートの連結可能型電磁式直動弁ユニット８１の右側面断面図である。
本発明の第２実施例の３ポートの連結可能型電磁式直動弁ユニット８１の説明をする。
３ポートの連結可能型電磁式直動弁ユニット８１は、弁本体４０の巻枠部４４内周部４５に、一端に該弁本体４０の弁座５７を閉塞する着座シート６８と他端に固定鉄心（Ａ）７２の弁座７５を閉塞する弁体６９とを設けた可動鉄心６４と、圧縮コイルスプリング６７と、気密パッキン類２３を外周部に装着し外面切込部７３と流体の出入が可能な吸排口７４とを有する３ポート用固定鉄心（Ａ）７２と、が挿入され、該ソレノイドヨーク６０の固定鉄心案内溝６１を該固定鉄心（Ａ）７２の外面切込部７３に外嵌すると共に、該ソレノイドヨーク６０の弁本体外径係止爪部６２を該弁本体４０のヨーク外径係止部４７に外嵌すると、該固定鉄心（Ａ）７２と該ソレノイドヨーク６０が固定されることにより完成される。
ここで、３ポートとは、該弁本体４０の分岐口５５と、該弁本体４０の本管５６に連通する該本管掛止凸形口５２（又は該本管掛止凹形口５４）と、該固定鉄心（Ａ）７２の吸排口７４と、を言っているものである。
尚、該分岐口５５と該本管掛止凸形口５２と該吸排口７４とは、いずれかをインポート或いはアウトポートに設定して使用すれば良い。
【００３６】
図１０は本発明の第３実施例の３ポートの連結可能型電磁式直動弁ユニット８２の右側面断面図である。
本発明の第３実施例の３ポートの連結可能型電磁式直動弁ユニット８２の説明をする。
３ポートの連結可能型電磁式直動弁ユニット８２は、弁本体４０の巻枠部４４内周部４５に、一端に該弁本体４０の弁座５７を閉塞する着座シート６８を設け他端６６が略球面の可動鉄心６５と、圧縮コイルスプリング６７と、座金状軟質部材（例えば、中空形ゴム平板）５９と、気密パッキン類２３を外周部に装着し外面切込部７７と流体の出入が可能な吸排口７８と端面開口部７９とを有する３ポート用固定鉄心（Ｂ）７６と、が挿入され、該ソレノイドヨーク６０の固定鉄心案内溝６１を該固定鉄心（Ｂ）７６の外面切込部７９に外嵌すると共に、該ソレノイドヨーク６０の弁本体外径係止爪部６２を該弁本体４０のヨーク外径係止部４７に外嵌すると、該固定鉄心（Ｂ）７６と該ソレノイドヨーク６０が固定されることにより完成される。
ここで、３ポートとは、該弁本体４０の分岐口５５と、該弁本体４０の本管５６に連通する該本管掛止凸形口５２（又は該本管掛止凹形口５４）と、該固定鉄心（Ｂ）７６の吸排口７８と、を言っているものである。
尚、該分岐口５５と該本管掛止凸形口５２と該吸排口７８とは、いずれかをインポート或いはアウトポートに設定して使用すれば良い。
【００３７】
図１１は本発明の一実施例の流体導入体９０の右側面斜視図である。図１２は本発明の一実施例の蓋体９４の右側面斜視図である。
本発明の一実施例の流体導入体９０の説明をする。
流体導入体（例えば、ＰＯＭ樹脂、真鍮）９０は、該弁本体４０の本管掛止凹形口５４に捻って掛止できるように、流体導入体ベース９１に、２つの掛止誘導溝９２と、本管出入口９３と、本管掛止凹部９８と、を有する。
不図示ではあるが、本管出入口９３には、例えば、シリコンチューブの流体（空気）配管ホース類が接続（例えば、ホースバンド等で抜止補強しても良い。）される。形状は中空円柱状ストレートパイプでも良いし、例えば、外周面に凸凹状の起伏等を設けた抜止工夫をしたものでも良い。
本発明の一実施例の流体導入体９０には、２つの掛止誘導溝９２を設けたが、２つの掛止爪でも、１つの掛止爪に１つの掛止誘導溝９０でも、又２つに限定されるものでなく、１つでも２つ以上でも良い。
又、本発明の他実施例の流体導入体９０として、該弁本体４０の本管掛止凸形口５２に捻って掛止できるように、流体導入体ベース９１に、２つの掛止爪９５と、気密パッキン類２３を外周部に装着できる突起筒９６と、本管出入口９３と、を有するものでも良い。
【００３８】
又、不図示ではあるが、該流体導入体９０に係止凸部或いは係止凹部を設けて、各ユニットの該弁本体４０の本管掛止凸形口５２や本管掛止凹形口５４に設けられた係止凹部或いは係止凸部と嵌合すると、該流体導入体９０の捻り戻りを防止する効果がある。
係止凸部（又は係止凹部）は１つに限定されるものでなく、複数の係止凸部（又は係止凹部）でも、係止凸部と係止凹部とを混在して設けても良い。
【００３９】
蓋体（例えば、ＰＯＭ樹脂、真鍮）９４は、該弁本体４０の本管掛止凸形口５２に捻って掛止できるように、蓋体ベース９７に、２つの掛止爪９５と、気密パッキン類２３を外周部に装着できる突起筒９６と、を有する。
本発明の一実施例の蓋体９４には、２つの掛止爪９５を設けたが、２つの掛止爪誘導溝でも、１つの掛止爪９５に１つの掛止誘導溝でも、又２つに限定されるものでなく、１つでも２つ以上でも良い。
又、本発明の他実施例の蓋体９４として、該弁本体４０の本管掛止凹形口５４に捻って掛止できるように、蓋体ベース９７に、２つの掛止誘導溝９２と、本管掛止凹部９８と、を有するものでも良い。
【００４０】
又、不図示ではあるが、該蓋体９４に係止凸部或いは係止凹部を設けて、各ユニットの該弁本体４０の本管掛止凸形口５２や本管掛止凹形口５４に設けられた係止凹部或いは係止凸部と嵌合すると、該蓋体９４の捻り戻りを防止する効果がある。
係止凸部（又は係止凹部）は１つに限定されるものでなく、複数の係止凸部（又は係止凹部）でも、係止凸部と係止凹部とを混在して設けても良い。
【００４１】
図１３（ａ）は本発明の第１実施例の単体式の電磁式直動弁装置８３の右側面斜視図である。又、図１３（ｂ）は本発明の第１実施例の２ポートの連結可能型電磁式直動弁ユニット８０に蓋体９４を嵌合してから捻って掛止して連結しようとしているところの右側面斜視図である。
本発明の第１実施例の単体式の電磁式直動弁装置８３の説明をする。
単体式の電磁式直動弁装置８３は、前記の連結可能型電磁式直動弁ユニット８０の本管掛止凹形口５４に流体導入体９０を嵌合してから捻って掛止して連結し、本管掛止凸形口５２に蓋体９４を嵌合してから捻って掛止して連結したものである。
参考ではあるが、前記の「嵌合してから捻って掛止して連結した」とは具体的には、例えば、図１３（ｂ）の▲１▼に示すように、前記の連結可能型電磁式直動弁ユニット８０に、蓋体９４を３０〜４５度程度の斜めの角度から嵌合し、図１３（ｂ）の▲２▼に示すように、該蓋体９４を捻って掛止する手順で連結が進められることをいうものである。以下、説明のない「嵌合してから捻って掛止して連結した」の考え方は、前記と同様の考え方であるので省略する。
又、前記の連結可能型電磁式直動弁ユニット８０の本管掛止凹形口５４に蓋体９４を嵌合してから捻って掛止して連結し、本管掛止凸形口５２に流体導入体９０を嵌合してから捻って掛止して連結したものでも良い。
又、前記の連結可能型電磁式直動弁ユニット８０の本管掛止凹形口５４に流体導入体９０を嵌合してから捻って掛止して連結し、本管掛止凸形口５２に流体導入体９０を嵌合してから捻って掛止して連結したものでも良い。
【００４２】
図１４は本発明の第２実施例の単体式の電磁式直動弁装置８４の右側面斜視図である。
本発明の第２実施例の単体式の電磁式直動弁装置８４の説明をする。
単体式の電磁式直動弁装置８４は、前記の連結可能型電磁式直動弁ユニット８１の本管掛止凹形口５４に流体導入体９０を嵌合してから捻って掛止して連結し、本管掛止凸形口５２に蓋体９４を嵌合してから捻って掛止して連結したものである。
又、前記の連結可能型電磁式直動弁ユニット８１の本管掛止凹形口５４に蓋体９４を嵌合してから捻って掛止して連結し、本管掛止凸形口５２に流体導入体９０を嵌合してから捻って掛止して連結したものでも良い。
又、前記の連結可能型電磁式直動弁ユニット８１の本管掛止凹形口５４に流体導入体９０を嵌合してから捻って掛止して連結し、本管掛止凸形口５２に流体導入体９０を嵌合してから捻って掛止して連結したものでも良い。
【００４３】
図１５は本発明の第３実施例の単体式の電磁式直動弁装置８５の左側面斜視図である。
本発明の第３実施例の単体式の電磁式直動弁装置８５の説明をする。
単体式の電磁式直動弁装置８５は、前記の連結可能型電磁式直動弁ユニット８２の本管掛止凹形口５４に流体導入体９０を嵌合してから捻って掛止して連結し、本管掛止凸形口５２に蓋体９４を嵌合してから捻って掛止して連結したものである。
又、前記の連結可能型電磁式直動弁ユニット８２の本管掛止凹形口５４に蓋体９４を嵌合してから捻って掛止して連結し、本管掛止凸形口５２に流体導入体９０を嵌合してから捻って掛止して連結したものでも良い。
又、前記の連結可能型電磁式直動弁ユニット８２の本管掛止凹形口５４に流体導入体９０を嵌合してから捻って掛止して連結し、本管掛止凸形口５２に流体導入体９０を嵌合してから捻って掛止して連結したものでも良い。
【００４４】
図１６（ａ）は本発明の一実施例の２連式の電磁式直動弁装置８６の右側面斜視図である。又、図１６（ｂ）は本発明の第３実施例の３ポートの連結可能型電磁式直動弁ユニット８２に、本発明の第１実施例の２ポートの連結可能型電磁式直動弁ユニット８０を嵌合してから捻って掛止して連結しようとしているところの右側面斜視図である。
本発明の一実施例の２連式の電磁式直動弁装置８６の説明をする。
２連式の電磁式直動弁装置８６は、前記の連結可能型電磁式直動弁ユニット８２の本管掛止凹形口５４に流体導入体９０を嵌合してから捻って掛止して連結し、前記の連結可能型電磁式直動弁ユニット８２の本管掛止凸形口５２に、前記の連結可能型電磁式直動弁ユニット８０の本管掛止凹形口５４を嵌合してから捻って掛止して連結し、前記の連結可能型電磁式直動弁ユニット８０の本管掛止凸形口５２に蓋体９４を嵌合してから捻って掛止して連結したものである。
【００４５】
参考ではあるが、前記の「嵌合してから捻って掛止して連結した」とは具体的には、例えば、図１６（ｂ）の▲１▼に示すように、前記の連結可能型電磁式直動弁ユニット８２に、前記の連結可能型電磁式直動弁ユニット８０を３０〜４５度程度の斜めの角度から嵌合し、図１６（ｂ）の▲２▼に示すように、該連結可能型電磁式直動弁ユニット８０を捻って掛止する手順で連結が進められることをいうものである。以下、説明のない「嵌合してから捻って掛止して連結した」の考え方は、前記と同様の考え方であるので省略する。
又、前記の連結可能型電磁式直動弁ユニット８２の本管掛止凹形口５４に蓋体９４を嵌合してから捻って掛止して連結し、前記の連結可能型電磁式直動弁ユニット８０の本管掛止凸形口５２に流体導入体９０を嵌合してから捻って掛止して連結したものでも良い。
又、前記の連結可能型電磁式直動弁ユニット８２の本管掛止凹形口５４に流体導入体９０を嵌合してから捻って掛止して連結し、前記の連結可能型電磁式直動弁ユニット８０の本管掛止凸形口５２に流体導入体９０を嵌合してから捻って掛止して連結したものでも良い。
不図示ではあるが、さらなる捻り戻り対策として、例えば、長方形の２連式電磁式直動弁装置用のソレノイドヨーク囲繞枠やゴムバンド等を、すべてのソレノイドヨークの外周に嵌合させると良い。
【００４６】
２連式の電磁式直動弁装置は、不図示ではあるが、前記３種類のいずれかの連結可能型電磁式直動弁ユニット８０、８１、８２を組み合わせるので、８０−８０、８０−８１、８０−８２、８１−８０、８１−８１、８１−８２、８２−８０、８２−８１、８２−８２、の９通りが構成できるものである。（前記の「−」は連結を示すものとする。）
さらに、不図示ではあるが、流体導入体９０と蓋体９４との取り付け方向により３倍の組み合わせがありえるものである。
【００４７】
図１７は本発明の一実施例の多連式の電磁式直動弁装置８７の左側面斜視図である。
本発明の一実施例の多連式の電磁式直動弁装置８７の説明をする。
多連（３連）式の電磁式直動弁装置８７は、前記の連結可能型電磁式直動弁ユニット８２の本管掛止凹形口５４に流体導入体９０を嵌合してから捻って掛止して連結し、前記の連結可能型電磁式直動弁ユニット８２の本管掛止凸形口５２に、前記の連結可能型電磁式直動弁ユニット８０の本管掛止凹形口５４を嵌合してから捻って掛止して連結し、前記の連結可能型電磁式直動弁ユニット８０の本管掛止凸形口５２に、前記の連結可能型電磁式直動弁ユニット８１の本管掛止凹形口５４を嵌合してから捻って掛止して連結し、前記の連結可能型電磁式直動弁ユニット８１の本管掛止凸形口５２に蓋体９４を嵌合してから捻って掛止して連結したものである。
【００４８】
又、前記の連結可能型電磁式直動弁ユニット８２の本管掛止凹形口５４に蓋体９４を嵌合してから捻って掛止して連結し、前記の連結可能型電磁式直動弁ユニット８１の本管掛止凸形口５２に流体導入体９０を嵌合してから捻って掛止して連結したものでも良い。
又、前記の連結可能型電磁式直動弁ユニット８２の本管掛止凹形口５４に流体導入体９０を嵌合してから捻って掛止して連結し、前記の連結可能型電磁式直動弁ユニット８１の本管掛止凸形口５２に流体導入体９０を嵌合してから捻って掛止して連結したものでも良い。
不図示ではあるが、さらなる捻り戻り対策として、例えば、長方形の２連式電磁式直動弁装置用のソレノイドヨーク囲繞枠やゴムバンド等を、すべてのソレノイドヨークの外周に嵌合させると良い。
【００４９】
３連式の電磁式直動弁装置は、不図示ではあるが、前記のいずれかの連結可能型電磁式直動弁ユニット８０、８１、８２を組み合わせるので、８０−８０−８０、８０−８０−８１、８０−８０−８２、８０−８１−８０、８０−８１−８１、８０−８１−８２、８０−８２−８０、８０−８２−８１、８０−８２−８２、８１−８０−８０、８１−８０−８１、８１−８０−８２、８１−８１−８０、８１−８１−８１、８１−８１−８２、８１−８２−８０、８１−８２−８１、８１−８２−８２、８２−８０−８０、８２−８０−８１、８２−８０−８２、８２−８１−８０、８２−８１−８１、８２−８１−８２、８２−８２−８０、８２−８２−８１、８２−８２−８２、の２７通りが構成できるものである。（前記の「−」は連結を示すものとする。）
さらに、不図示ではあるが、流体導入体９０と蓋体９４との取り付け方により３倍の組み合わせがありえるものである。
【００５０】
このように組み合わせると、ｎ連式の電磁式直動弁装置は、３のｎ乗通りの構成が可能になるものである。
さらに、流体導入体９０と蓋体９４の取り付け方により３倍の組み合わせがありえるものである。
【００５１】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
不図示ではあるが、例えば、多連式の電磁式直動弁装置において、指定のユニットだけを他のユニットとは逆さまに掛止して組み立てても良い。
【００５２】
【発明の効果】
本発明の連結可能型電磁式直動弁ユニットと、そのユニットのいずれかを任意に組み合わせた電磁式直動弁装置と、においては、汎用性（構成部品の共用を含む。）、組立性及び信頼性の向上と共に、リサイクル対策として、全ての部品が容易に着脱できる効果を奏する。
【図面の簡単な説明】
【図１】従来の多連式の電磁式直動弁装置の右側面斜視図である。
【図２】従来の多連式の電磁式直動弁装置の正面図である。
【図３】従来の多連式の電磁式直動弁装置の底面図である。
【図４】従来の多連式の電磁式直動弁装置の右側面断面図である。
【図５】本発明の一実施例の弁本体の右側面斜視図である。
【図６】本発明の一実施例の弁本体の左側面斜視図である。
【図７】本発明の一実施例のソレノイドヨークの右側面斜視図である。
【図８】本発明の第１実施例の２ポートの連結可能型電磁式直動弁ユニットの右側面断面図である。
【図９】本発明の第２実施例の３ポートの連結可能型電磁式直動弁ユニットの右側面断面図である。
【図１０】本発明の第３実施例の３ポートの連結可能型電磁式直動弁ユニットの右側面断面図である。
【図１１】本発明の一実施例の流体導入体の右側面斜視図である。
【図１２】本発明の一実施例の蓋体の右側面斜視図である。
【図１３】本発明の第１実施例の単体式の電磁式直動弁装置の右側面斜視図である。
【図１４】本発明の第２実施例の単体式の電磁式直動弁装置の右側面斜視図である。
【図１５】本発明の第３実施例の単体式の電磁式直動弁装置の左側面斜視図である。
【図１６】本発明の一実施例の２連式の電磁式直動弁装置の右側面斜視図である。
【図１７】本発明の一実施例の多連式の電磁式直動弁装置の左側面斜視図である。
【符号の説明】
１０…従来の多連式の電磁式直動弁装置、１１…弁座、１２…分岐口、１３…本管、１４…本管出入口、１５…マルチポート弁本体、１６…固定鉄心案内溝、１７…略コ字状のソレノイドヨークＡ、１８…平板状のソレノイドヨークＢ、２０…ソレノイド部一ユニット、２１…銅線、２２…巻枠、２３…気密パッキン類、２４…外面切込部、２５…吸排口、２６…固定鉄心の弁座、２７…固定鉄心、２８…圧縮コイルスプリング、２９…着座シート、３０…弁体、３１…可動鉄心、３２…リード線（絶縁電線）、３３…保護チューブ類、３４…コネクタハウジング、３５…従来の電磁コイル、３９…本発明一実施例の電磁コイル、４０…弁本体、４１…上部フランジ、４２…端子片支持部、４３…端子片、４４…巻枠部、４５…巻枠部４４の内周部、４６…下部フランジ、４７…ヨーク外径係止部、４８…係止凸部、４９…係止凹部、５０…係止鍔部、５１…掛止爪、５２…本管掛止凸形口、５３…掛止誘導溝、５４…本管掛止凹形口、５５…分岐口、５６…本管（連通孔）、５７…弁座、５８…ソレノイドヨークの固定鉄心案内溝の反対側の平面部、５９…座金状軟質部材、６０…ソレノイドヨーク、６１…固定鉄心案内溝、６２…弁本体外径係止爪部、６３…２ポート用可動鉄心、６４…３ポート用可動鉄心、６５…３ポート用可動鉄心、６６…３ポート用可動鉄心他端部（球面形状）、６７…圧縮コイルスプリング、６８…着座シート、６９…弁体、７０…２ポート用固定鉄心、７１…２ポート用固定鉄心外面切込部、７２…３ポート用固定鉄心（Ａ）、７３…３ポート用固定鉄心（Ａ）外面切込部、７４…３ポート用固定鉄心（Ａ）吸排口、７５…３ポート用固定鉄心（Ａ）弁座、７６…３ポート用固定鉄心（Ｂ）、７７…３ポート用固定鉄心（Ｂ）外面切込部、７８…３ポート用固定鉄心（Ｂ）吸排口、７９…３ポート用固定鉄心（Ｂ）端面開口部、８０…本発明の第１実施例の２ポートの連結可能型電磁式直動弁ユニット、８１…本発明の第２実施例の３ポートの連結可能型電磁式直動弁ユニット、８２…本発明の第３実施例の３ポートの連結可能型電磁式直動弁ユニット、８３…本発明の第１実施例の単体式の電磁式直動弁装置、８４…本発明の第２実施例の単体式の電磁式直動弁装置、８５…本発明の第３実施例の単体式の電磁式直動弁装置、８６…本発明の一実施例の２連式の電磁式直動弁装置、８７…本発明の一実施例の多連式の電磁式直動弁装置、９０…流体導入体、９１…流体導入体ベース、９２…掛止誘導溝、９３…本管出入口、９４…蓋体、９５…掛止爪、９６…突起筒、９７…蓋体ベース、９８…本管掛止凹部、９９…印刷配線基板用マイクロコネクタ
【図１】
0003661994.tif 000002
【図２】
0003661994.tif 000003
【図３】
0003661994.tif 000004
【図４】
0003661994.tif 000005
【図５】
0003661994.tif 000006
【図６】
0003661994.tif 000007
【図７】
0003661994.tif 000008
【図８】
0003661994.tif 000009
【図９】
0003661994.tif 000010
【図１０】
0003661994.tif 000011
【図１１】
0003661994.tif 000012
【図１２】
0003661994.tif 000013
【図１３】
0003661994.tif 000014
【図１４】
0003661994.tif 000015
【図１５】
0003661994.tif 000016
【図１６】
0003661994.tif 000017
【図１７】
0003661994.tif 000018